(57)【要約】【課題】  本発明は、屈曲捻回などの使用状態下において、高い耐久性を有する極細ケーブルアセンブリを提供するものである。【解決手段】  かゝる本発明は、複数の極細ケーブル１０・・・が集合されると共に、これらの極細ケーブル１０・・・が保護テープ３０により束ねられた極細ケーブルアセンブリＣＡ１において、極細ケーブルアセンブリをそのケーブル束の周方向に捻回を繰り返して使用する際、保護テープ３０の施されたテープ被覆部３１０の少なくとも一方の端末のケーブルアセンブリ部分に捻じり部３２０を設けた極細ケーブルアセンブリにあり、これにより、断線し難く、高い耐久性が得られる。【選択図】  図１
2007220495.tif 000002
【特許請求の範囲】
【請求項１】
複数の極細ケーブルが集合されると共に、これらの極細ケーブルが保護テープにより束ねられた極細ケーブルアセンブリにおいて、前記極細ケーブルアセンブリをそのケーブル束の周方向に捻回を繰り返して使用する際、前記保護テープの施されたテープ被覆部の少なくとも一方の端末のケーブルアセンブリ部分に捻じり部を設けたことを特徴とする極細ケーブルアセンブリ。
【発明の詳細な説明】
【技術分野】
【０００１】
本発明は、屈曲捻回などの使用状態下において、高い耐久性を有する極細ケーブルアセンブリに関するものである。
【背景技術】
【０００２】
近年、民生用の小型電子機器、例えば、携帯電話やデジタルカメラ、ビデオカメラ、携帯音楽レコーダ、小型携帯パソコンなどにおいては、配線材として、複数の極細同軸ケーブルを集合させた極細同軸ケーブルアセンブリ（集合体）が多用されてきている。
これは、極細同軸ケーブルが持つ安定した伝送特性や細径で柔軟な可撓性からアセンブリの自由度が高く、小型電子機器のニーズにマッチングしているからと考えられる。
【０００３】
従来の極細同軸ケーブルアセンブリの一例を示すと図４の如くである。この極細同軸ケーブルアセンブリＣＡ０は、複数の極細同軸ケーブル１０・・・を集合させてその両端側に基板やコネクタなどの接続部２０、２０を設けると共に、両接続部２０、２０間の複数の極細同軸ケーブル１０・・・に対しては、通常両接続部２０、２０のケーブル接続代部分を除いて、保護テープ３０を施して束ねて、各極細同軸ケーブル１０・・・がばらつかなようにしてある。
【０００４】
このような構造の極細同軸ケーブルアセンブリは、従来から、例えば、開閉型の携帯電話（電話器本体に対してカバー体（蓋体）が開閉する二つ折り型のもの）に使用されたり（特許文献１）、回転型の携帯電話（電話器本体に対してカバー体（蓋体）が１８０°、３６０°などとして回転するもの）に使用されたりしている。これらの場合、電話器本体とカバー体間のヒンジ部分（回動部分）に配線された極細同軸ケーブルアセンブリにあっては、操作の都度、１本１本の極細同軸ケーブルに対して、屈曲や捻回などの複雑な力が作用することになる。
【特許文献１】特開平０６−１５２４９１号
【０００５】
携帯電話自体の小型化が進み、配線スペースが広くとれないことから、極細同軸ケーブルアセンブリは、狭いスペース部分に配線される一方、電話の構造によっては、電話器本体とカバー体間のヒンジ部分を通る、複雑な形で配線されるため、無理な配線形態となることが多い。
【０００６】
例えば、図５に示すように、極細同軸ケーブルアセンブリの一方の接続部２０が、携帯電話の構造上の要求などから、保護テープ３０の施されたテープ被覆部（ケーブル束部分、即ちケーブルアセンブリ軸部分）に対してある角度θを持って（曲げた状態で）配線されることがある。この場合、ケーブルアセンブリ軸部分の各ケーブルは、ほぼ平行に束ねられているのみであるため、曲げの外側寄りのケーブルにあっては引っ張りの歪みが生じ、曲げの内側寄りのケーブルにあっては圧縮の歪みが生じた状態となる。
【発明の開示】
【発明が解決しようとする課題】
【０００７】
このような配線状態下で、携帯電話の開閉操作が繰り返されると、ケーブルアセンブリ軸部分には、屈曲捻回などの複雑な力が作用することになる。そうすると、上記曲げ配線によりもともと歪みが存在する、外側寄りのケーブルや内側寄りのケーブルには、これらの複雑な力が負荷されることとなり、遂には一部のケーブルに亀裂や断線などが生じるなどして通信不良が起こることがあった。
【０００８】
そこで、本発明者等は、これらの通信不良を改善するため、鋭意検討し、極細同軸ケーブルアセンブリの接続部が、曲げた状態で配線された場合において、保護テープの施されたテープ被覆部の少なくとも一方の端末のケーブルアセンブリ部分に捻じりを施した捻じり部を設けたところ、ケーブル断線するまでの操作回数、即ちケーブル断線回数が著しく改善されることを見い出した。
【０００９】
このケーブル断線回数は、携帯電話の電話器本体とカバー体に対応する屈曲機構を模擬した屈曲試験装置を用意し、テープ被覆部の少なくとも一方の端末のケーブルアセンブリ部分に捻じり部を設けた極細同軸ケーブルアセンブリの接続部を、ある角度で曲げ配線し、回転などの捻回による屈曲を繰り返す屈曲試験により行った。
【００１０】
この屈曲試験により、ケーブルアセンブリ部分の端末に捻じり部を設けないときには、通常２万回以下でもケーブルの断線があるのに対して、ケーブルアセンブリ部分の端末に捻じり部を設けた場合には、使用ケーブルの種別、外径などの条件によっても異なるが、１０万回以上の屈曲でも、ケーブル断線がないことが分かったのである。
【００１１】
本発明は、このような事実に基づきなされたもので、曲げ配線されて、屈曲などの捻回使用状態下で用いられる極細同軸ケーブルなどの極細ケーブルの多数本を束ねた極細ケーブルアセンブリにおいて、テープ被覆部の少なくとも一方（両方も可）の端末のケーブルアセンブリ部分に捻じり部を設けることにより、破断し難く、高い耐久性を有する極細ケーブルアセンブリを提供するものである。
【課題を解決するための手段】
【００１２】
請求項１記載の本発明は、複数の極細ケーブルが集合されると共に、これらの極細ケーブルが保護テープにより束ねられた極細ケーブルアセンブリにおいて、前記極細ケーブルアセンブリをそのケーブル束の周方向に捻回を繰り返して使用する際、前記保護テープの施されたテープ被覆部の少なくとも一方の端末のケーブルアセンブリ部分に捻じり部を設けたことを特徴とする極細ケーブルアセンブリにある。
【発明の効果】
【００１３】
本発明に係る極細ケーブルアセンブリによると、テープ被覆部の少なくとも一方の端末のケーブルアセンブリ部分に捻じり部を設けてあるため、破断し難く、高い耐久性が得られる。
【発明を実施するための最良の形態】
【００１４】
図１は本発明に係る極細ケーブルアセンブリの一例を示したものである。
この極細ケーブルアセンブリＣＡ１も、基本的には、上述した図４〜図５の極細同軸ケーブルアセンブリＣＡ０とほぼ同構造のもので、その極細ケーブル１０として極細同軸ケーブルを使用したものであるが、保護テープ３０の施されたテープ被覆部３１０の一方の端末のケーブルアセンブリ部分に捻じりを施した捻じり部３２０を設けてある点において異なる。なお、２０は基板やコネクタなどの接続部である。
【００１５】
この捻じり部３２０は、図２から明らかなように、テープ被覆部３１０のケーブルアセンブリ部分の端末部分と接続部２０のケーブル接続代部分の境界領域に設けてある。この形成にあたっては、特に限定されないが、ほぼ平行に束ねられているテープ被覆部３１０部分の各細径ケーブル１０・・・を、その端末部分で少なくとも０．５回転以上周方向に捻じるのみでよい。この捻じりは、好ましくは保護テープ３０の被覆前に行ってもよいが、保護テープ３０の被覆後に行うことを可能である。さらには、配線時に行うことを可能である。また、この捻じり部３２０の幅（長さ）は、ケーブルの用途やケーブル全長、ケーブル外径などによっても異なるが、コネクタの幅程度の長さとすれば十分である。なお、複数回捻じる場合には、捻じり方向を交互に変えるＳＺ撚り線の如くに捻じることも可能である。この場合、後述するように、より大きなストレス緩和機能が得られる。
【００１６】
極細ケーブル１０の外径は、特に限定されないが、０．２〜０．４ｍｍ程度のものを挙げることができる。上記極細ケーブル１０としての極細同軸ケーブルも、特に限定されないが、例えば図３に示す構造のものが使用できる。この極細同軸ケーブルの場合、中心導体１１が極細の金属線（銅線など）の撚り線導体からなり、この中心導体１１の外周にテフロン（登録商標）などのフッ素系樹脂の絶縁体１２が被覆してある。さらに、この絶縁体１２の外周には極細の金属線（銅線など）からなる外部導体１３が設けてあり、この最外層にテフロン（登録商標）などのフッ素系樹脂からなるシース（外被）が設けてなる。      
【００１７】
上記テープ被覆部３１０の保護テープ３０も、特に限定されないが、プラスチックテープの使用が好ましい。特に強度が強く、保護機能に優れ、また、耐外傷性の高いプラスチックテープの使用が望ましい。また、予め極細ケーブル側となる面には、作業性の向上を考慮して、接着剤層（粘着層）を設けておくとよい。
【００１８】
このような構造からなる、本発明の極細ケーブルアセンブリＣＡ１を、例えば開閉型の携帯電話（電話器本体に対してカバー体（蓋体）が９０°〜１８０°で開閉するもの）に使用する場合、携帯電話の構造上の要求などから、上記図１〜図２に示すように、その一方（図中右側）の接続部２０を、テープ被覆部３１０に対してある角度θを持って配線させても、十分な耐久性が確保される。
【００１９】
因みに、０．３ｍｍの極細ケーブル１０を３０本束ねて、図１と同構造の捻じり部を設けた極細ケーブルアセンブリを作り、これを、携帯電話の電話器本体とカバー体に対応する屈曲機構を模擬した屈曲試験装置に、一方の接続部を曲げた状態でセットした。このとき、極細ケーブルアセンブリのテープ被覆部の長さは７０ｍｍ、捻じり部の長さは１５ｍｍ、捻じり回数は１回である。また、接続部の曲げ角度θとしては４５°、９０°の２種類とした。屈曲試験装置における屈曲機構の回転角（捻回角）は±１８０°とした。
【００２０】
そして、この屈曲試験装置により、上記極細ケーブルアセンブリに０〜１８０°の屈曲を加えた。なお、参考のため、捻じり部の設けられていない、図４と同構造の極細ケーブルアセンブリに対しても、上記と同様の条件のもとで、この屈曲試験装置により、０〜１８０°の屈曲を加えた。
【００２１】
その結果、図１と同構造の極細ケーブルアセンブリの場合、曲げ角度４５°、９０°のいずれにおいて、１０万回の回転を加えても、ケーブル断線は起こらなかった。
これに対して、図４と同構造の極細ケーブルアセンブリの場合には、４５°、９０°のいずれの曲げ角度において、２万以下の回転でケーブル断線が起こった。
【００２２】
このことから、図１の本発明の極細ケーブルアセンブリでは、捻回などの使用状態下において、高い耐久性が得られることが分かる。この耐久性向上の理由としては、次のことが推測される。捻じり部がない場合、ほぼ平行に束ねられているテープ被覆部３１０の端末から延びた各ケーブルが、そのままほぼ平行にコネクタなどの接続部に接続されるため、上述したように、曲げの外側寄りのケーブルにあっては引っ張りの歪みが生じ、曲げの内側寄りのケーブルにあってはケーブルが撓むため、こちらにも歪みが生じるという状態に対して、捻じり部の領域では、この部分を境にして、外側寄りのケーブルと内側寄りのケーブルが入れ替わるため、特定のケーブルへのストレス集中が緩和されるものと考えられる。
【００２３】
なお、本発明の極細ケーブルアセンブリにあっては、極細ケーブルとして極細同軸ケーブルを用いる場合であったが、本発明はこれに限定されない。多数の極細線を撚ったり、単に平行に揃えた導体部分や極細線の単線導体部分に絶縁体を被覆させたケーブルであってもよい。
【図面の簡単な説明】
【００２４】
【図１】本発明に係る極細ケーブルアセンブリの一例を示した概略平面図である。
【図２】図１の極細ケーブルアセンブリにおける一方の端末のケーブルアセンブリ部分に捻じり部を示した拡大平面図である。
【図３】図１の極細ケーブルアセンブリに用いられる極細ケーブルの一例を示した拡大端面図である。
【図４】従来の極細同軸ケーブルアセンブリを示した概略平面図である。
【図５】図４の極細同軸ケーブルアセンブリの一方の接続部を曲げて配線した状態を示した概略平面図である。
【符号の説明】
【００２５】
ＣＡ１・・・極細ケーブルアセンブリ、１０・・・極細ケーブル、２０・・・接続部、３０・・・保護テープ、３１０・・・テープ被覆部、３２０・・・捻じり部
【図１】
2007220495.tif 000003
【図２】
2007220495.tif 000004
【図３】
2007220495.tif 000005
【図４】
2007220495.tif 000006
【図５】
2007220495.tif 000007